(57)【要約】【課題】近接センサをカメラ撮影時に利用することにより、撮影時の手振れを抑えることを可能にする携帯機器を提供する。【解決手段】撮影対象を撮影するカメラ１０と近接物の存在を検出する近接センサ９とを少なくとも備え、カメラ１０による撮影時において、あらかじめ定めた検出レベルを超える感知レベルになるまで近接してきた近接物の存在を近接センサ９が検出した場合に、カメラ１０のシャッターを切る動作を行う。而して、カメラ１０による撮影機能を有する携帯機器例えばスマートフォン１本体に一切触れることなく、カメラ１０のシャッター操作を行うことを可能としているので、手振れがない明確な画像を撮影することができる。かつ、手振れ防止用として光センサを用いる場合とは異なり、暗所における撮影時であっても、手振れを防止した画像を撮影することができる。【選択図】        図１
2013174697.tif 000002
【特許請求の範囲】
【請求項１】
撮影対象を撮影するカメラと近接物の存在を検出する近接センサとを少なくとも備えた携帯機器であって、前記カメラによる撮影時において、あらかじめ定めた検出レベルを超える感知レベルになるまで近接してきた近接物の存在を前記近接センサが検出した場合に、前記カメラのシャッターを切る動作を行うことを特徴とする携帯機器。
【請求項２】
前記カメラによる画像撮影時において、あらかじめ定めた検出レベルを超える感知レベルになるまで近接してきた近接物の存在を前記近接センサが検出した際に、前記カメラのフォーカスをロックする動作を行い、近接状態にあった前記近接物が前記近接センサから離れて、前記近接センサの感知レベルがあらかじめ定めた離脱レベル以下に低下したことを前記近接センサが検出した際に、シャッターを切る動作を行うことを特徴とする請求項１に記載の携帯機器。
【請求項３】
前記カメラによる動画撮影時において、あらかじめ定めた検出レベルを超える感知レベルになるまで近接してきた近接物の存在を前記近接センサが検出した際に、前記カメラのシャッターを開放する動作を行い、近接状態にあった前記近接物が前記近接センサから離れて、前記近接センサの感知レベルがあらかじめ定めた離脱レベル以下に低下したことを前記近接センサが検出した際に、シャッターを閉成する動作を行うことを特徴とする請求項１または２に記載の携帯機器。
【請求項４】
前記近接センサは、通話中のタッチセンサの誤動作防止用として搭載した近接センサと共用することを特徴とする請求項１ないし３のいずれかに記載の携帯機器。
【請求項５】
撮影対象を撮影するカメラと近接物の存在を検出する近接センサとを少なくとも備えた携帯機器における携帯機器用撮影方法であって、前記カメラによる撮影時において、あらかじめ定めた検出レベルを超える感知レベルになるまで近接してきた近接物の存在を前記近接センサが検出した場合に、前記カメラのシャッターを切る動作を行うことを特徴とする携帯機器用撮影方法。
【請求項６】
前記カメラによる画像撮影時において、あらかじめ定めた検出レベルを超える感知レベルになるまで近接してきた近接物の存在を前記近接センサが検出した際に、前記カメラのフォーカスをロックする動作を行い、近接状態にあった前記近接物が前記近接センサから離れて、前記近接センサの感知レベルがあらかじめ定めた離脱レベル以下に低下したことを前記近接センサが検出した際に、シャッターを切る動作を行うことを特徴とする請求項５に記載の携帯機器用撮影方法。
【請求項７】
前記カメラによる動画撮影時において、あらかじめ定めた検出レベルを超える感知レベルになるまで近接してきた近接物の存在を前記近接センサが検出した際に、前記カメラのシャッターを開放する動作を行い、近接状態にあった前記近接物が前記近接センサから離れて、前記近接センサの感知レベルがあらかじめ定めた離脱レベル以下に低下したことを前記近接センサが検出した際に、シャッターを閉成する動作を行うことを特徴とする請求項５または６に記載の携帯機器用撮影方法。
【請求項８】
前記近接センサは、通話中のタッチセンサの誤動作防止用として搭載した近接センサと共用することを特徴とする請求項５ないし７のいずれかに記載の携帯機器用撮影方法。
【請求項９】
請求項５ないし８のいずれかに記載の携帯機器用撮影方法を、コンピュータによって実行可能なプログラムとして実施していることを特徴とする携帯機器用撮影プログラム。
【発明の詳細な説明】
【技術分野】
【０００１】
本発明は、携帯機器、携帯機器用撮影方法および携帯機器用撮影プログラムに関し、特に、カメラ撮影時における手振れを防止することが可能な携帯機器、携帯機器用撮影方法および携帯機器用撮影プログラムに関する。
【背景技術】
【０００２】
スマートフォン等に代表される携帯機器における、これまでのカメラ撮影においては、撮影時にタッチパネル操作やキー操作を行う必要があったため、タッチパネル操作やキー操作による携帯機器本体の振動の発生により、撮影時の手振れが起こり易い状況であった。
【０００３】
一方、特許文献１の特開２００６−０１４０７４号公報「携帯電話機」に記載されているように、光センサを用いて撮影時の手振れを防ぐ手段も提案されているが、かくのごとき技術の場合、暗所での撮影が不可能となるという大きな問題がある。
【先行技術文献】
【特許文献】
【０００４】
【特許文献１】特開２００６−０１４０７４号公報（第４−７頁）
【発明の開示】
【発明が解決しようとする課題】
【０００５】
前述したように、現状の携帯機器における撮影技術においては、カメラ撮影時にキー操作やタッチパネル操作により発生する振動が伝わり、撮影時の手振れが発生するという問題があるし、前記特許文献１のような光センサを用いる技術の場合、暗所における撮影が不可能になるという問題がある。また、タッチパネルを用いる場合に、タッチパネル操作のための撮影ボタンの表示により、撮影範囲の表示が狭くなることや撮影範囲が遮られることにもなっている。
【０００６】
一方、最近、普及し始めた、タッチパネルを備えたスマートフォンにおいては、タッチパネルの誤操作を防ぐために、該タッチパネルに近接した位置に存在する指や耳等の部位（近接物）の存在の有無を検出する近接センサが一般的に搭載されるようになってきている。
【０００７】
（本発明の目的）
本発明は、かかる事情に鑑みてなされたものであり、最近の携帯機器に一般的に搭載されている近接センサをカメラ撮影時にも利用することにより、撮影時の手振れを抑えることを可能にする携帯機器、携帯機器用撮影方法および携帯機器用撮影プログラムを提供することを、その目的としている。
【課題を解決するための手段】
【０００８】
前述の課題を解決するため、本発明による携帯機器、携帯機器用撮影方法および携帯機器用撮影プログラムは、主に、次のような特徴的な構成を採用している。
【０００９】
（１）本発明による携帯機器は、撮影対象を撮影するカメラと近接物の存在を検出する近接センサとを少なくとも備えた携帯機器であって、前記カメラによる撮影時において、あらかじめ定めた検出レベルを超える感知レベルになるまで近接してきた近接物の存在を前記近接センサが検出した場合に、前記カメラのシャッターを切る動作を行うことを特徴とする。
【００１０】
（２）本発明による携帯機器用撮影方法は、撮影対象を撮影するカメラと近接物の存在を検出する近接センサとを少なくとも備えた携帯機器における携帯機器用撮影方法であって、前記カメラによる撮影時において、あらかじめ定めた検出レベルを超える感知レベルになるまで近接してきた近接物の存在を前記近接センサが検出した場合に、前記カメラのシャッターを切る動作を行うことを特徴とする。
【００１１】
（３）本発明による携帯機器用撮影プログラムは、少なくとも前記（２）に記載の携帯機器用撮影方法を、コンピュータによって実行可能なプログラムとして実施していることを特徴とする。
【発明の効果】
【００１２】
本発明の携帯機器、携帯機器用撮影方法および携帯機器用撮影プログラムによれば、以下のような効果を奏することができる。
【００１３】
第１に、携帯機器によるカメラ撮影時において、通話時の誤操作防止用として携帯機器に搭載した近接センサを手振れ防止用としても利用することにより、携帯機器本体に触れることなく、シャッター操作を行うことを可能としているので、手振れがない明確な画像を撮影することができる。
【００１４】
第２に、近接物の近接状態を検出する近接センサを撮影時の手振れ防止用として用いることによって、前記特許文献１に記載のような光センサを手振れ防止用として用いる場合とは異なり、暗所における撮影時であっても、手振れが発生しない撮影を行うことが可能になる。
【００１５】
第３に、通話時の誤操作防止用として携帯機器に搭載した近接センサを手振れ防止用としても利用しているので、手振れ防止用として独立の部品を新たな配置する必要もなく、携帯機器の小型化・低コスト化を図ることが可能になる。
【図面の簡単な説明】
【００１６】
【図１】本発明の携帯機器の一例であるスマートフォンの一般的な内部構成を示すブロック構成図である。
【図２】図１に示したスマートフォンの一般的な外観を説明するための外観図である。
【図３】図１に示したスマートフォンを用いた従来の一般的な撮影スタイルの例を示す説明図である。
【図４】通話時におけるスマートフォンのタッチセンサの誤動作を防止する近接センサの動作を説明するための説明図である。
【図５】カメラ撮影時におけるスマートフォンのカメラの手振れを防止する近接センサの動作を説明するための説明図である。
【図６】図１に示したスマートフォンのカメラ撮影時の動作の一例を説明するためのフローチャートである。
【図７】図１に示したスマートフォンのカメラ撮影時の動作の他の例を説明するためのフローチャートである。
【図８】図１に示したスマートフォンのカメラ撮影時の動作のさらに異なる例を説明するためのフローチャートである。
【発明を実施するための形態】
【００１７】
以下、本発明による携帯機器、携帯機器用撮影方法および携帯機器用撮影プログラムの好適な実施形態について添付図を参照して説明する。なお、以下の説明においては、本発明による携帯機器および携帯機器用撮影方法について説明するが、かかる携帯機器用撮影方法をコンピュータにより実行可能な携帯機器用撮影プログラムとして実施するようにしても良いし、あるいは、携帯機器用撮影プログラムをコンピュータにより読み取り可能な記録媒体に記録するようにしても良いことは言うまでもない。
【００１８】
なお、以下の説明においては、本発明による携帯機器として、スマートフォンを用いる場合について説明するが、本発明による携帯機器は、かかる場合のみに限るものではなく、例えば、携帯電話機、ＰＨＳ（Personal  Handy-Phone  System）端末、ＰＤＡ（Personal  Digital  Assistants）端末、携帯ノートＰＣ（Personal  Computer）、タブレット端末等、カメラと近接センサとを搭載している携帯機器であれば、如何なる種類のものであっても構わない。
【００１９】
（本発明の特徴） 
本発明の実施形態の説明に先立って、本発明の特徴についてその概要をまず説明する。本発明は、近接センサとカメラとを備えた、スマートフォンなどの携帯機器において、キー操作や、タッチパネル操作をしなくても、撮影操作を行うことができるようにしたことを主要な特徴としている。
【００２０】
すなわち、最近のスマートフォン等の携帯機器には、指や耳、口等の近接物の存在を検出する近接センサが一般的に搭載されて、通話中のタッチセンサの誤動作を防ぐために使用されるように構成されているが、該近接センサを、携帯機器のカメラ撮影時においても動作させることによって、撮影時に、撮影者は画面や操作キーに触れることなく、指等の部位を画面（すなわち近傍に配置している近接センサ）に近づけることによって、撮影操作を行うことを可能にしている。
【００２１】
（実施形態の構成例） 
次に、本発明の携帯機器の実施形態の構成の一例を、図１を用いて説明する。図１は、本発明の携帯機器の一例であるスマートフォンの一般的な内部構成を示すブロック構成図である。
【００２２】
図１に示すスマートフォン１は、制御部２、無線通信部３、表示部４、マイク５、レシーバ６、スピーカ７、タッチセンサ８、近接センサ９、カメラ１０、キー操作部１１（操作キー１１−１、サイドキー１１−２）を少なくとも含んで構成されている。
【００２３】
また、図２は、図１に示したスマートフォン１の一般的な外観を説明するための外観図であり、各デバイスの実装位置を示している。なお、図２（Ａ）はスマートフォン１のおもて面の外観図を示し、図２（Ｂ）はスマートフォン１のうら面の外観図を示している。
【００２４】
スマートフォン１のおもて面の中央には、タッチセンサ８の機能を搭載し、かつ、ＬＣＤ（Liquid  Crystal  Display）、有機ＥＬ（Electro-Luminescence）などからなっている表示部４が備えられ、表示部４の上側には、レシーバ６とスピーカ７と近接センサ９とが、また、下側には、操作キー１１−１とマイク５とが備えられている。一方、うら面には、カメラ１０が備えられている。スマートフォン１の側面側には、ボリューム調整等に使用することができるサイドキー１１−２が備えられている。なお、操作キー１１−１については、表示部４のタッチセンサのカバー範囲を拡大することによって、タッチセンサを用いたソフトキーとして機能を実現する場合もある。
【００２５】
また、図３には、図１に示したスマートフォン１を用いた従来の一般的な撮影スタイルの例を示している。スマートフォン１によってカメラ撮影する際は、一般的なデジタルカメラの場合と同じく、スマートフォン１を横方向に保持した形で撮影する場合が多い。そして、カメラ撮影においてシャッターを切る動作を行う場合、図３（Ａ）に示すように、表示部４に表示される撮影ボタン１２に対して指１３をタッチすることによって、あるいは、図３（Ｂ）に示すように、スマートフォン１の側面側に配置されているサイドキー１１−２を指１３で押下操作することによって、シャッターを切る動作を実現させている。
【００２６】
図３に示したような従来の一般的な撮影スタイルの場合、前述したように、撮影ボタン１２やサイドキー１１−２を指１３で操作する際に、スマートフォン１に搭載されているカメラ１０にも振動が加わり、撮影の手振れを引き起こす可能性が大きい。本発明は、かくのごとき撮影時の手振れを防止するために、通話中におけるタッチセンサ８の誤動作を防止するために設けられている近接センサ９をカメラ撮影用としても兼用する構成を採用している。
【００２７】
つまり、カメラ撮影時において、撮影者の指等の部位が近接センサ９に近接してきたことを該近接センサ９が検出した際に、シャッターを切る動作を実行させることによって、スマートフォン１本体に触れることなく、シャッター操作を実施することを可能としている。さらに、指等の近接物の存在を検出する近接センサ９を撮影時の手振れ防止用にも兼用することによって、前記特許文献１に記載のような光センサを手振れ防止用として用いる場合とは異なり、暗所における撮影時であっても、手振れが発生しない撮影を行うことが可能になるとともに、手振れ防止用として独立の部品を新たな配置する必要もなく、スマートフォン１の小型化・低コスト化を図ることが可能になる。
【００２８】
図４は、通話時におけるスマートフォン１のタッチセンサ８の誤動作を防止する近接センサ９の動作を説明するための説明図である。図４に示すように、無線通信部３を用いた通話時において通話者が耳１４をレシーバ６に近づけた際に、レシーバ６の近傍に配置されている近接センサ９にも耳１４が近付いている状態になる。この結果として、近接センサ９は、通話者の耳１４が近接している状態にあることを検出することにより、制御部２は、表示部４を消す動作や、タッチセンサ８の機能を無効にして、通話時の誤動作を防止するように制御している。
【００２９】
次に、通話時のタッチセンサ８の誤動作防止用に備えられている近接センサ９をカメラ撮影時の手振れ防止用として利用する場合の動作について、図５を用いて説明する。図５は、カメラ撮影時におけるスマートフォン１のカメラ１０の手振れを防止する近接センサ９の動作を説明するための説明図である。
【００３０】
図５に示すように、カメラ撮影時に、スマートフォン１を横方向に保持した場合、縦位置の状態で表示部４の上側に配置されていた近接センサ９は表示部４の左右どちらかの側に位置する。ここで、カメラ撮影動作を起動した状態になった際には、近接センサ９を動作させる。かかる状態において、撮影者の左右の手のどちらかの指１３を近接センサ９に近づけることによって、シャッターを切る動作をさせる。かくのごとく、スマートフォン１のタッチパネルや操作キーに触れることなく、スマートフォン１の近接センサ９に指１３を近づける動作を行うだけでシャッターを切る動作を行わせることができるので、スマートフォン１本体に振動を与えることなく、手振れがない画像を撮影することができる。
【００３１】
（実施形態の動作の説明）
次に、図１に示したスマートフォン１のカメラ撮影時における動作について、その一例を図６のフローチャートを用いて説明する。図６は、図１に示したスマートフォン１のカメラ撮影時の動作の一例を説明するためのフローチャートであり、制御部２のカメラ撮影時の動作例を示している。
【００３２】
図６のフローチャートにおいて、カメラ撮影を行う際に、まず、撮影者がメニューを選択する操作を行うことによって、制御部２はカメラ１０の機能を起動する（ステップＳ１）。カメラ１０の機能が起動すると、次いで、近接センサ９の機能も動作を開始する（ステップＳ２）。カメラ１０によって取得された画像は、近接センサ９が撮影タイミングにおける撮影者の指１３等の部位（近接物）を検出するまでの間（ステップＳ４のＮＯ）、表示部４に常時表示させた状態になっている（ステップＳ３）。
【００３３】
撮影しようとする画像が表示されたタイミングで、撮影者が指１３等の部位を近接センサ９に近づける動作を行う。近接センサ９は、撮影タイミングにおける撮影者の指１３等の部位（近接物）があらかじめ定めた検出レベルを超えた状態の感知レベルになるまで近接してきたことを検出すると（ステップＳ４のＹＥＳ）、カメラ１０のシャッターを切る動作を行い（ステップＳ５）、撮影された撮影データをスマートフォン１のメモリ内に保存する（ステップＳ６）。
【００３４】
しかる後、カメラ撮影終了メニューの選択操作やキー操作によるカメラ撮影終了操作が行われるまで（ステップＳ７のＮＯ）、カメラ１０の機能や近接センサ９の動作はそのまま継続し、ステップＳ３に復帰して、次のカメラ撮影動作を継続することになる。一方、カメラ撮影終了メニューの選択操作やキー操作によるカメラ撮影終了操作が行われると（ステップＳ７のＹＥＳ）、カメラ１０の機能を停止させるとともに、近接センサ９の動作も停止させて、カメラ撮影を終了させる（ステップＳ８）。
【００３５】
（本実施形態の効果の説明）
以上に詳細に説明したように、本実施形態においては、カメラ撮影時に、近接センサ９による近接物検出によりカメラ１０のシャッター動作を行うので、従来のようなタッチセンサ８への接触動作やキー操作を行う場合とは異なり、スマートフォン１本体に振動を与えることがなく、かつ、手振れ防止用として光センサを用いる場合とは異なり、暗所における撮影時であっても、手振れを防止した画像を撮影することができる。
【００３６】
（本発明の他の実施形態）
次に、本発明の他の実施形態として、図１に示したスマートフォン１のカメラ撮影時における近接センサ９の他の使い方について、図７のフローチャートを用いて説明する。図７は、図１に示したスマートフォン１のカメラ撮影時の動作の他の例を説明するためのフローチャートであり、近接センサ９による検出結果によって、フォーカスロック（焦点固定）動作と、シャッター動作との２つの動作に分けて動作させる場合について示している。つまり、近接センサ９により近接物が近接したことを検出した際に、カメラ１０のフォーカスをロックする動作を行い、近接した状態から該近接物が離れたことを検出した際に、カメラ１０のシャッターを切る動作を行う場合について説明している。
【００３７】
図７のフローチャートにおいてステップＳ１１〜Ｓ１４までは、図６のフローチャートのステップＳ１〜Ｓ４と同様である。すなわち、まず、カメラ撮影を行う際に、カメラ１０の機能を起動した後（ステップＳ１１）、近接センサ９の機能も動作させる（ステップＳ１２）。しかる後、カメラ１０によって取得された画像を、近接センサ９が撮影タイミングにおける撮影者の指１３等の部位（近接物）を検出するまでの間（ステップＳ１４のＮＯ）、表示部４に常時表示させた状態にし（ステップＳ１３）、撮影しようとする画像が表示されたタイミングで、撮影者が指１３等の部位を近接センサ９に近づける動作を行う。
【００３８】
近接センサ９は、撮影タイミングにおける撮影者の指１３等の部位（近接物）があらかじめ定めた検出レベルを超えた状態の感知レベルになるまで近接してきたことを検出すると（ステップＳ１４のＹＥＳ）、図６のフローチャートの場合とは異なり、まず、カメラ１０のフォーカス（焦点）を固定させるフォーカスロック状態に設定する（ステップＳ１５）。しかる後は、撮影者の指１３等の部位（近接物）が近接センサ９から離れて、近接センサ９の感知レベルがあらかじめ定めた離脱レベル以下にまで低下したことを検出するまで（ステップＳ１６のＮＯ）、フォーカスロック状態をそのまま維持する。
【００３９】
撮影者の指１３等の部位（近接物）が近接センサ９から離れて、近接センサ９の感知レベルがあらかじめ定めた離脱レベル以下にまで低下したことを検出すると（ステップＳ１６のＹＥＳ）、図６のフローチャートのステップＳ５〜Ｓ８と同様の動作を行う。すなわち、まず、シャッターを切る動作を行って（ステップＳ１７）、撮影された撮影データをスマートフォン１のメモリ内に保存した後（ステップＳ１８）、カメラ撮影終了メニューの選択操作やキー操作によるカメラ撮影終了操作が行われるまで（ステップＳ１９のＮＯ）、カメラ１０の機能や近接センサ９の動作はそのまま継続し、ステップＳ１３に復帰する。一方、カメラ撮影終了メニューの選択操作やキー操作によるカメラ撮影終了操作が行われると（ステップＳ１９のＹＥＳ）、カメラ１０の機能を停止させるとともに、近接センサ９の動作も停止させて、カメラ撮影を終了させる（ステップＳ２０）。
【００４０】
以上のように、撮影者の指１３等の部位（近接物）の近接センサ９への近接・離脱状態を検出することにより、フォーカスロック動作からシャッターを切る撮影動作に至るまで、従来のようなタッチセンサ８への接触動作やキー操作を行う場合とは異なり、スマートフォン１本体に振動を与えることがなく、かつ、手振れ防止用として光センサを用いる場合とは異なり、暗所における撮影時であっても、フォーカスが合った明瞭で、かつ、手振れがない画像を撮影することができる。
【００４１】
次に、本発明のさらに異なる実施形態として、図１に示したスマートフォン１のカメラ撮影時における近接センサ９のさらに異なる使い方について、図８のフローチャートを用いて説明する。図８は、図１に示したスマートフォン１のカメラ撮影時の動作のさらに異なる例を説明するためのフローチャートであり、近接センサ９による検出結果によって、動画撮影を行う場合について示している。つまり、近接センサ９により近接物が近接したことを検出した際に、動画の撮影を開始させる動作を行い、近接した状態から該近接物が離れたことを検出した際に、動画の撮影を終了させる動作を行う場合について説明している。
【００４２】
図８のフローチャートにおいてステップＳ２１〜Ｓ２４までは、図６のフローチャートのステップＳ１〜Ｓ４と同様である。すなわち、まず、カメラ撮影を行う際に、カメラ１０の機能を起動した後（ステップＳ２１）、近接センサ９の機能も動作させる（ステップＳ２２）。しかる後、カメラ１０によって取得された動画像を、近接センサ９が撮影タイミングにおける撮影者の指１３等の部位（近接物）を検出するまでの間（ステップＳ２４のＮＯ）、表示部４に常時表示させた状態にし（ステップＳ２３）、撮影しようとする動画像が表示されたタイミングで、撮影者が指１３等の部位を近接センサ９に近づける動作を行う。
【００４３】
近接センサ９は、撮影開始タイミングにおける撮影者の指１３等の部位（近接物）があらかじめ定めた検出レベルを超えた状態の感知レベルになるまで近接してきたことを検出すると（ステップＳ２４のＹＥＳ）、静止画像を撮影する図６のフローチャートの場合とは異なり、まず、カメラ１０のシャッターを切って動画の撮影を開始する（ステップＳ２５）。しかる後は、撮影者の指１３等の部位（近接物）が近接センサ９から離れて、近接センサ９の感知レベルがあらかじめ定めた離脱レベル以下にまで低下したことを検出するまで（ステップＳ２６のＮＯ）、動画撮影状態をそのまま維持する。
【００４４】
撮影者の指１３等の部位（近接物）が近接センサ９から離れて、近接センサ９の感知レベルがあらかじめ定めた離脱レベル以下にまで低下したことを検出すると（ステップＳ２６のＹＥＳ）、動画の撮影状態を終了させる（ステップＳ２７）。しかる後は、図６のフローチャートのステップＳ６〜Ｓ８と同様の動作を行う。すなわち、まず、撮影された撮影データ（動画データ）をスマートフォン１のメモリ内に保存した後（ステップＳ２８）、カメラ撮影終了メニューの選択操作やキー操作によるカメラ撮影終了操作が行われるまで（ステップＳ２９のＮＯ）、カメラ１０の機能や近接センサ９の動作はそのまま継続し、ステップＳ２３に復帰する。一方、カメラ撮影終了メニューの選択操作やキー操作によるカメラ撮影終了操作が行われると（ステップＳ２９のＹＥＳ）、カメラ１０の機能を停止させるとともに、近接センサ９の動作も停止させて、カメラ撮影を終了させる（ステップＳ３０）。
【００４５】
以上のように、撮影者の指１３等の部位（近接物）の近接センサ９への近接・離脱状態を検出することにより、シャッター開放からシャッター閉成に至るまでの動画撮影動作においても、従来のようなタッチセンサ８への接触動作やキー操作を行う場合とは異なり、スマートフォン１本体に振動を与えることがなく、かつ、手振れ防止用として光センサを用いる場合とは異なり、暗所における撮影時であっても、フォーカスが合った明瞭で、かつ、手振れがない動画を撮影することができる。
【００４６】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００４７】
１        スマートフォン
２        制御部
３        無線通信部
４        表示部
５        マイク
６        レシーバ
７        スピーカ
８        タッチセンサ
９        近接センサ
１０      カメラ
１１      キー操作部
１１−１  操作キー
１１−２  サイドキー
１２      撮影ボタン
１３      指
１４      耳
【図１】
2013174697.tif 000003
【図２】
2013174697.tif 000004
【図４】
2013174697.tif 000005
【図６】
2013174697.tif 000006
【図７】
2013174697.tif 000007
【図８】
2013174697.tif 000008
【図３】
2013174697.tif 000009
【図５】
2013174697.tif 000010